【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
異なるハイアラーキの通信網が混在するネットワークに接続される無線伝送装置であって、
無線信号の送信時に、入力された送信ハイアラーキ信号のオーバーヘッド領域からクロスコネクト情報を分離し、送信無線フレーム信号のオーバーヘッド領域に前記クロスコネクト情報を多重して出力し、無線信号の受信時に、入力された受信無線フレーム信号のオーバーヘッド領域から前記クロスコネクト情報を分離し、受信ハイアラーキ信号のオーバーヘッド領域に前記クロスコネクト情報を多重して出力する制御手段を少なくとも備えることを特徴とする無線伝送装置。
【請求項２】
前記異なるハイアラーキの通信網の一つが、同期（ＳＤＨ）網であり、前記ハイアラーキ信号が、ＳＤＨ信号であることを特徴とする請求項１に記載の無線伝送装置。
【請求項３】
前記異なるハイアラーキの通信網の一つが、非同期（ＰＤＨ）網であり、前記ハイアラーキ信号が、ＰＤＨ信号であることを特徴とする請求項１に記載の無線伝送装置。
【請求項４】
前記クロスコネクト情報は、無線信号の送信時に、前記ＳＤＨ信号のＰＯＨ（Path Overhead）領域から分離され、無線信号の受信時に、前記ＳＤＨ信号のＰＯＨ領域に多重されることを特徴とする請求項２に記載の無線伝送装置。
【請求項５】
前記ＳＤＨ信号は、データ領域とＰＯＨ（Path Overhead）領域に分離され、
前記ＰＯＨ領域は、前記クロスコネクト情報を多重または分離し、
前記データ領域は、クロスコネクトされるデータ信号を多重または分離することを特徴とする請求項２に記載の無線伝送装置。
【請求項６】
前記送信無線フレーム信号は、第１のデータ領域と第１のオーバーヘッド領域に分離され、無線信号の送信時に、前記第１のデータ領域にクロスコネクトされるデータ信号が多重され、前記第１のオーバーヘッド領域に前記クロスコネクト情報が多重され、
前記受信無線フレーム信号は、第２のデータ領域と第２のオーバーヘッド領域に分離され、無線信号の受信時に、前記第２のデータ領域から前記データ信号が分離され、前記第２のオーバーヘッド領域から前記クロスコネクト情報が分離されることを特徴とする請求項１乃至５のいずれかに記載の無線伝送装置。
【請求項７】
前記制御手段は、
無線信号の送信時に、送信ＳＤＨ信号を前記データ領域の送信データ信号と前記ＰＯＨ領域の送信ＰＯＨ信号とに分離して出力し、無線信号の受信時に、前記受信無線フレーム信号を前記第２のデータ領域の受信データ信号と前記第２のオーバーヘッド領域の受信無線オーバーヘッド信号とに分離して出力する分離手段と、
前記送信ＰＯＨ信号及び前記受信無線オーバーヘッド信号から前記クロスコネクト情報を分離し、前記クロスコネクト情報に基づいてクロスコネクト制御信号を出力する共に、送信無線オーバーヘッド信号及び受信ＰＯＨ信号を出力するクロスコネクト制御手段と、
前記クロスコネクト制御信号に基づいて、送信データ信号及び前記受信データ信号のクロスコネクト処理を行い、送信クロスコネクトデータ信号及び受信クロスコネクトデータ信号を出力するクロスコネクト処理手段と、
無線信号の送信時に、前記送信無線フレーム信号の前記第１のデータ領域に前記送信クロスコネクトデータ信号を多重し、前記第１のオーバーヘッド領域に前記送信無線オーバーヘッド信号を多重して出力し、無線信号の受信時に、受信ＳＤＨ信号の前記データ領域に前記受信クロスコネクトデータ信号を多重し、前記ＰＯＨ領域に前記受信ＰＯＨ信号を多重して出力する多重手段と、を少なくとも備えることを特徴とする請求項６に記載の無線伝送装置。
【請求項８】
前記クロスコネクト制御手段は、
前記送信ＰＯＨ信号及び前記受信無線オーバーヘッド信号から前記クロスコネクト情報を分離するオーバーヘッド分離手段と、
前記クロスコネクト情報から接続先の装置番号及びチャネル番号を抽出し、前記接続先の装置番号及びチャネル番号に基づいて前記クロスコネクト制御信号を生成するクロスコネクト制御信号生成手段と、を少なくとも備えることを特徴とする請求項７に記載の無線伝送装置。
【請求項９】
前記クロスコネクト制御信号生成手段は、無線信号の受信時に、前記接続先の装置番号と自装置の装置番号とを照合し、一致しない場合に、前記多重手段に前記送信無線オーバーヘッド信号を出力し、
前記クロスコネクト処理手段は、前記多重手段に前記送信クロスコネクトデータ信号を出力することを特徴とする請求項８に記載の無線伝送装置。
【請求項１０】
前記制御手段は、前記送信ＰＯＨ信号からＶＣ−１２レベルの前記クロスコネクト情報を抽出し、前記受信無線オーバーヘッド信号からＥ１チャネルごとの前記クロスコネクト情報を抽出することを特徴とする請求項７乃至９のいずれかに記載の無線伝送装置。
【請求項１１】
異なるハイアラーキの通信網が混在するネットワークにおける無線伝送方法であって、
無線信号の送信時に、入力された送信ハイアラーキ信号のオーバーヘッド領域からクロスコネクト情報を分離し、送信無線フレーム信号のオーバーヘッド領域に前記クロスコネクト情報を多重して出力する第１の処理と、
無線信号の受信時に、入力された受信無線フレーム信号のオーバーヘッド領域から前記クロスコネクト情報を分離し、受信ハイアラーキ信号のオーバーヘッド領域に前記クロスコネクト情報を多重して出力する第２の処理と、を少なくとも行うことを特徴とする無線伝送方法。
【請求項１２】
前記異なるハイアラーキの通信網の一つが、同期（ＳＤＨ）網であり、前記ハイアラーキ信号が、ＳＤＨ信号であることを特徴とする請求項１１に記載の無線伝送方法。
【請求項１３】
前記異なるハイアラーキの通信網の一つが、非同期（ＰＤＨ）網であり、前記ハイアラーキ信号が、ＰＤＨ信号であることを特徴とする請求項１１に記載の無線伝送方法。
【請求項１４】
前記クロスコネクト情報は、無線信号の送信時に、前記ＳＤＨ信号のＰＯＨ（Path Overhead）領域から分離され、無線信号の受信時に、前記ＳＤＨ信号のＰＯＨ領域に多重されることを特徴とする請求項１２に記載の無線伝送方法。
【請求項１５】
前記ＳＤＨ信号は、データ領域とＰＯＨ（Path Overhead）領域に分離され、
前記ＰＯＨ領域は、前記クロスコネクト情報を多重または分離し、
前記データ領域は、クロスコネクトされるデータ信号を多重または分離することを特徴とする請求項１２に記載の無線伝送方法。
【請求項１６】
前記送信無線フレーム信号は、第１のデータ領域と第１のオーバーヘッド領域に分離され、無線信号の送信時に、前記第１のデータ領域にクロスコネクトされるデータ信号が多重され、前記第１のオーバーヘッド領域に前記クロスコネクト情報が多重され、
前記受信無線フレーム信号は、第２のデータ領域と第２のオーバーヘッド領域に分離され、無線信号の受信時に、前記第２のデータ領域から前記データ信号が分離され、前記第２のオーバーヘッド領域から前記クロスコネクト情報が分離されることを特徴とする請求項１１乃至１５のいずれかに記載の無線伝送方法。
【請求項１７】
前記第１の処理は、
送信ＳＤＨ信号を前記データ領域の送信データ信号と前記ＰＯＨ領域の送信ＰＯＨ信号とに分離して出力する第１のステップと、
前記送信ＰＯＨ信号から前記クロスコネクト情報を分離し、前記クロスコネクト情報に基づいてクロスコネクト制御信号を出力する共に、送信無線オーバーヘッド信号を出力する第２のステップと、
前記クロスコネクト制御信号に基づいて、前記送信データ信号のクロスコネクト処理を行い、送信クロスコネクトデータ信号を出力する第３のステップと、
前記送信無線フレーム信号の前記第１のデータ領域に前記送信クロスコネクトデータ信号を多重し、前記第１のオーバーヘッド領域に前記送信無線オーバーヘッド信号を多重して出力する第４のステップと、を含み、
前記第２の処理は、
前記受信無線フレーム信号を前記第２のデータ領域の受信データ信号と前記第２のオーバーヘッド領域の受信無線オーバーヘッド信号とに分離して出力する第５のステップと、
前記受信無線オーバーヘッド信号から前記クロスコネクト情報を分離し、前記クロスコネクト情報に基づいてクロスコネクト制御信号を出力する共に、受信ＰＯＨ信号を出力する第６のステップと、
前記クロスコネクト制御信号に基づいて、前記受信データ信号のクロスコネクト処理を行い、受信クロスコネクトデータ信号を出力する第７のステップと、
受信ＳＤＨ信号の前記データ領域に前記受信クロスコネクトデータ信号を多重し、前記ＰＯＨ領域に前記受信ＰＯＨ信号を多重して出力する第８のステップと、を含むことを特徴とする請求項１６に記載の無線伝送方法。
【請求項１８】
前記第２のステップ及び前記第６のステップは、
前記送信ＰＯＨ信号及び前記受信無線オーバーヘッド信号から前記クロスコネクト情報を分離する分離ステップと、
前記クロスコネクト情報から接続先の装置番号及びチャネル番号を抽出し、前記接続先の装置番号及びチャネル番号に基づいて前記クロスコネクト制御信号を生成する制御ステップと、を含むことを特徴とする請求項１７に記載の無線伝送方法。
【請求項１９】
前記制御ステップでは、無線信号の受信時に、前記接続先の装置番号と自装置の装置番号とを照合し、
前記接続先の装置番号と前記自装置の装置番号とが一致しない場合は、
前記第６のステップでは、前記送信無線オーバーヘッド信号を出力し、
前記第７のステップでは、前記送信クロスコネクトデータ信号を出力し、
前記第８のステップでは、前記送信無線フレーム信号の前記第１のデータ領域に前記送信クロスコネクトデータ信号を多重し、前記第１のオーバーヘッド領域に前記送信無線オーバーヘッド信号を多重して出力することを特徴とする請求項１８に記載の無線伝送方法。
【請求項２０】
前記第１の処理では、前記送信ＰＯＨ信号からＶＣ−１２レベルの前記クロスコネクト情報を抽出し、前記第２の処理では、前記受信無線オーバーヘッド信号からＥ１チャネルごとの前記クロスコネクト情報を抽出することを特徴とする請求項１７乃至１９のいずれかに記載の無線伝送方法。
【手続補正２】
【補正対象書類名】明細書
【補正対象項目名】発明の名称
【補正方法】変更
【補正の内容】
【発明の名称】無線伝送装置及び無線伝送方法
【手続補正３】
【補正対象書類名】明細書
【補正対象項目名】０００９
【補正方法】削除
【補正の内容】